(57)【要約】  【課題】  電波伝搬空間におけるアダプティブアンテナの性能を計算機シミュレーションによって総合的に評価することが可能となるアダプティブアレーアンテナの特性評価装置を提供する。  【解決手段】  携帯電話機に複数搭載された各アンテナの全立体角における指向性の振幅及び位相を導出する指向性導出手段２と、幾何光学的手法を用いて、各受信点での全立体角の信号強度、振幅及び位相を導出する電波伝搬計算手段３と、アダプティブアルゴリズムを用いて合成指向性を導出するアダプティブアルゴリズム手段４と、最終的なアダプティブアルゴリズム手段４で生成した各アンテナの振幅及び位相指向性で受信点での信号強度を合成し、最終的な受信点で得られる信号強度を所望波、妨害波に分けて導出し、電波伝搬環境におけるアダプティブアレーアンテナの評価を行うアダプティブアレーアンテナ評価手段５とを有する。【選択図】  図１
2007078482.tif 000002
【特許請求の範囲】
【請求項１】
無線機器に複数搭載された各アンテナの全立体角における指向性の振幅及び位相を導出し、
解析を行う電波伝搬環境において、幾何光学的手段を用いて、各受信点での全立体角の信号強度、振幅及び位相を導出し、
前記各受信点での所望波及び妨害波の到来強度、到来位相及び到来角から、アダプティブアルゴリズムを用いて、各アンテナの指向性パターンが最大となるように前記振幅及び位相を制御して合成指向性を導出し、
前記各アンテナの最終的な振幅及び位相指向性により前記受信点での信号強度を合成し、
最終的な受信点で得られる信号強度を所望波及び妨害波に分けて導出し、前記電波伝搬環境におけるアダプティブアレーアンテナの評価を行う
アダプティブアレーアンテナの特性評価方法。
【請求項２】
無線機器に複数搭載された各アンテナの全立体角における指向性の振幅及び位相を導出する指向性導出手段と、
解析を行う電波伝搬環境において、幾何光学的手段を用いて、各受信点での全立体角の信号強度、振幅及び位相を導出する電波伝搬計算手段と、
前記電波伝搬計算手段で計算された前記各受信点での所望波及び妨害波の到来強度、到来位相及び到来角から、アダプティブアルゴリズムを用いて、前記指向性導出手段で生成した前記各アンテナの指向性パターンが最大となるように前記振幅及び位相を制御して合成指向性を導出するアダプティブアルゴリズム手段と、
アダプティブアルゴリズム手段で生成した前記各アンテナの最終的な振幅及び位相指向性により前記受信点での信号強度を合成し、最終的な受信点で得られる信号強度を所望波及び妨害波に分けて導出し、前記電波伝搬環境におけるアダプティブアレーアンテナの評価を行うアダプティブアレーアンテナ評価手段と
を有するアダプティブアレーアンテナの特性評価装置。
【請求項３】
前記指向性導出手段は、
計算機シミュレーションまたは実測により、前記無線機器に複数搭載された前記各アンテナの複素指向性を導出する機能と、
アンテナ近傍電磁界のみのデータを遠方解に変換する近傍界・遠方界変換機能と、
離散間隔角度に生成した全立体角の振幅や位相指向性を前後の角度の値から補間する指向性補間機能と
を有する請求２に記載のアダプティブアレーアンテナの特性評価装置。
【請求項４】
前記電波伝搬計算手段は、
解析を行う電波伝搬環境を模擬するモデリング機能と、
送信点及び受信点をそのモデル上に設定する送受信点設定機能と、
前記送信点から受信点へ前記幾何光学的手法を用いた電波伝搬環境シミュレーションを行う電波伝搬計算機能と、
前記受信点での到来波及び妨害波それぞれの到来方向及び強度を計算する幾何光学的解析機能と
を有する請求項２又は３に記載のアダプティブアレーアンテナの特性評価装置。
【請求項５】
前記アダプティブアルゴリズム手段は、受信点での到来波及び妨害波の到来波情報を元に各場所における受信点での前記アンテナに前記アダプティブアルゴリズムを適応し、前記各場所それぞれでの最適な合成指向性を導出する指向性合成機能部を有し、
前記指向性合成機能部は、
前記アダプティブアルゴリズムの反復計算回数を指定する反復計算回数指定機能と、
減衰器及び位相器の分解能及び範囲を指定する振幅・位相分解能範囲指定機能と
を有する請求項２から４のいずれか１項に記載のアダプティブアレーアンテナの特性評価装置。
【請求項６】
前記アダプティブアレーアンテナ評価手段は、
前記電波伝搬計算手段で生成された前記各受信点における前記所望波及び妨害波と各受信信号の振幅及び位相情報を、前記アダプティブアルゴリズム手段で生成した前記指向性で重み付けして受信し、
前記受信信号レベルを所望波、妨害波に分けで導出し、
前記電波伝搬環境におけるアダプティブアレーアンテナの評価を行う
機能を有する請求項２から５のいずれか１項に記載のアダプティブアレーアンテナの特性評価装置。
【発明の詳細な説明】
【技術分野】
【０００１】
本発明は、携帯電話機などの無線機器などに複数本のアンテナを装備し、それぞれのアンテナの振幅及び位相を制御して使用環境に最適な指向性を得ることができる、いわゆるアダプティブアレーアンテナ(Adaptive Array Antenna)の電波伝搬性能などを解析するアダプティブアレーアンテナの特性評価方法及び装置に関する。
【背景技術】
【０００２】
近年、携帯電話機等の無線機器に対して、複数本のアンテナを装備し、各アンテナの振幅・位相を制御して使用環境に最適な指向性を得ることで、所望波の選択性向上、干渉波除去によるＳ／Ｎ向上を狙った、いわゆるアダプティブアレーアンテナの適用、研究が盛んに行われている。即ち、このアダプティブアレーアンテナでは、各アンテナ出力に複素ウェイト(weight)を乗じた後に合成するとアレーアンテナの指向性が変化することを利用し、所定の制御アルゴリズムに基づいて各アンテナ出力のウェイト（weight）を決定し、周囲の環境状態の変化に適応しながら指向性を最適に制御する原理構成となっている。
【０００３】
ところで、アダプティブアレーアンテナの設計及び評価項目としては、
（１）複数アンテナの搭載となるので、各アンテナのアンテナ種類の選択、例えば磁流アンテナと電流アンテナの組合せ、偏波が異なるアンテナの組合せ、アンテナ間の距離等によるカップリング・相関特性の影響、また実際の使用状況を考慮し、アンテナ近傍に配置された人体や無線機器を手で保持した場合の影響等のように、アンテナ近傍に障害物が設置されている場合を考慮した各アンテナの指向性の導出、
（２）所望波、不要波の強度及び到来方向を与えて無線機器に搭載された各アンテナの指向性の振幅及び位相の制御を行い、指向性合成を行うための、例えば所望波にメインビームを向ける方法、不要波にヌル（Null；指向性パターンの落ち込み点）を向ける方法等のアダプティブアルゴリズムの選定、また、このアダプティブアルゴリズムで理想的な指向性を得られるまでの計算負荷の考慮、さらに、振幅及び位相の制御を行う際に用いる減衰器及び位相器の設定分解能による合成指向性への影響、
（３）設計したアダプティブアレーアンテナを搭載した無線機器をある電波伝搬環境で使用した場合の総合的評価、
などが必要である。
【０００４】
（１）の項目のアンテナ近傍の電磁界解析においては、コンピュータによる計算により、モーメント法、ＦＤＴＤ法（Finite-Difference Time-Domain Method；時間領域差分法）等を用いた電磁界解析が一般的である（例えば、非特許文献１参照）。この非特許文献１に記載の電磁界解析では、携帯端末用の小型アンテナを対象として、アンテナ近傍に対置した人体，手の影響をＦＤＴＤ法、モーメント法等を用いた計算機シミュレーションにより、指向性及び放射効率の特性変化を議論したものである。
【０００５】
（２）の項目に関しては、ある電波伝搬環境を想定し、所望波、不要波の到来方向を与え、各種アダプティブアルゴリズムを適応することで、Ｓ／Ｎが向上する振幅及び位相の制御を行い、最終的な指向性を得るものが知られている（例えば、非特許文献２参照）。一般に、１０素子以上のアレーアンテナであって、すべての素子アンテナに対応させてＣＭＡ（Constant Modulus Algorithm：定包絡線信号用アルゴリズム）アダプティブループを設けた方式のものでは、演算時間、ハードウェアが多大となる。この非特許文献２は、マルチビームの出力の一部を選択してＣＭＡアダプティブループを形成する、ビームスペースＣＭＡアダプティブアレーアンテナを提案した論文であって、内部雑音を所望波、干渉波のレベルが高い方から−２０ｄＢと定め、また繰り返し計算回数を５００回とし、計算機シミュレーションにより指向性を計算している。
【０００６】
（３）の項目に関しては、レイトレース法等の幾何光学的手法を用いた計算機シミュレーションにより、ある電波伝搬環境での受信点と送信点で到達する光線の合成計算をすることで信号強度を求め、アンテナ性能を評価するものが知られている（例えば、特許文献１、２参照）。即ち、特許文献１は、電磁環境評価方法及びシステム装置に関するものであって、電波暗室等に簡易的な伝搬環境を構築し、実測結果からアンテナかつ無線システム全体の性能判定を行うものである。但し、通信環境に応じてアンテナの指向性を変化させることには対応していない。また、特許文献２は、無線通信システムにおける通信可能範囲の評価方法及びコンピュータプログラムに関するものであって、計算機シミュレーションにより、ある系での電磁界分布のシミュレーションを行っているが、指向性等のアンテナの性能は一定であり、このシミュレーションの最終目標はあくまでも通信可能距離である。また、アンテナ指向性も、通信環境の変化により可変する構成のものではなく一定である。
【非特許文献１】電子情報通信学会論文誌  Vol.J85-B No.5 pp.687-697 2002年5月  「人体（頭，手及び指）モデルを用いた携帯端末機用内蔵アンテナの特性解析」
【非特許文献２】電子情報通信学会論文誌  Vol.J77-B2 No.3 pp.130-138 1994年3月  「ビームスペースCMAアダプティブアレーアンテナ」
【特許文献１】特開平１１−２３１００３号公報
【特許文献２】特開２００３−７００５０号公報
【発明の開示】
【発明が解決しようとする課題】
【０００７】
しかしながら、非特許文献１に記載の電磁界解析は、あるアンテナ組合せとアンテナ近傍の物体の影響から生じる、一定の指向性特性に限定した評価のみを行うものであって、ある電波伝搬環境で使用した場合の指向性を変化させるアダプティブアレーアンテナを搭載した無線機器の評価をすることは不可能である。
【０００８】
また、非特許文献２に記載の方法の場合、使用者が、想定で所望波，不要波の到来方向を与えなければならず、また最適化アルゴリズムの計算ループを無限に行える理想的な収束状態における指向性と、実際には計算ループに制限があり、その途中段階で得られる指向性の差、つまり計算ループ回数による生成される指向性の差、かつ、振幅及び位相の分解能が理想的に計算機の処理能力に応じた無限の分解能を得られる場合や、あるビット数で定まる制限がある場合の指向性の導出を行い、評価することが求められる。
【０００９】
また、特許文献１、２に記載の方法の場合、アンテナの指向性は、無指向性であったり、指向性があったとしても、送受信点の位置が変化した場合でも常に一定であるので、送受信場所の変化から生じる、電波環境の変化に随時適応するアダプティブアレーアンテナを搭載した無線機器の電波伝搬解析を行うことは不可能である。
【００１０】
また、従来の幾何光学的手法を用いた電波伝搬解析では、無線機器などによる移動体通信を模擬し、送受信点を空間的に移動させた場合でも、指向性特性は常に一定である。そのため、送受信位置の変化による所望波及び不要波の信号特性の変化に応じて、合成指向性を最適に適応させる、アダプティブアルゴリズムを搭載した無線機器の電波伝搬環境の計算機シミュレーションは不可能であった。
【００１１】
また、アダプティブアルゴリズムを用いて指向性の最適化を行う場合、所望波と不要波の到来強度、到来位相、到来方向を自動取得することが不可能であった。
【００１２】
また、実際のアダプティブアルゴリズムは、時間経過の概念がなく、最適化が終了するまでには無線機器に搭載された計算部の処理能力とアダプティブアルゴリズムの処理負荷によって決定する計算時間を要し、各種アルゴリズムの選択による処理量の増減、収束時間の増減、それに伴う最適化終了時間の増減が起こる。例えば、携帯電話機等の移動通信端末機での使用を想定した場合、移動通信端末機の使用者はある移動速度で空間を移動するが、非常に低速で移動した場合は、アダプティブアルゴリズムによる計算結果が、十分に収束した状態で理想的な指向性を得ることができる。ところが、高速で移動した場合、移動速度に計算時間が追従できず、理想的でない指向性で電波を受信してしまう。従って、この移動速度の差による性能変化を計算機シミュレーションすることは不可能であった。
【００１３】
また、振幅及び位相の制御は、実際の無線機器に搭載されている減衰器及び位相器が行うが、例えば減衰器は２ｄＢの分解能の制御で使用範囲は０〜７０ｄＢ、位相器は４５°の分解能の制御で使用範囲は０〜７２０°と、実際には設定可能な分解能や設定範囲に制限がある。そのため、この分解能や設定範囲からくる実際の振幅及び位相と、理想的な設定とのギャップにより誤差を生じるおそれがあり、合成指向性での性能検証をする必要がある。ところが、従来の計算機シミュレーションでは、振幅及び位相の分解能は無限であり、分解能からくる誤差の検証を行うことは不可能であった。
また、アンテナ近傍の物体による指向性の生成、送受信点の変化による各場所での所望波及び不要波の到来条件の自動収集、アルゴリズムの計算負荷、無線機器の送受信点の移動速度、減衰器及び位相器の設定分解能や設定範囲の検証のすべてに対応した、総合的な電波伝搬解析シミュレーションに取り込むことは、不可能であった。
【００１４】
本発明は、上記事情に鑑みてなされたもので、電波伝搬空間におけるアダプティブアンテナの性能を計算機シミュレーションによって総合的に評価することができるアダプティブアレーアンテナの特性評価方法及び装置を提供することを目的とする。
【課題を解決するための手段】
【００１５】
本発明のアダプティブアレーアンテナの特性評価方法は、無線機器に複数搭載された各アンテナの全立体角における指向性の振幅及び位相を導出し、解析を行う電波伝搬環境において、幾何光学的手段を用いて、各受信点での全立体角の信号強度、振幅及び位相を導出し、前記各受信点での所望波及び妨害波の到来強度、到来位相及び到来角から、アダプティブアルゴリズムを用いて、各アンテナの指向性パターンが最大となるように前記振幅及び位相を制御して合成指向性を導出し、前記各アンテナの最終的な振幅及び位相指向性により前記受信点での信号強度を合成し、最終的な受信点で得られる信号強度を所望波及び妨害波に分けて導出し、前記電波伝搬環境におけるアダプティブアレーアンテナの評価を行うものである。
【００１６】
本発明のアダプティブアレーアンテナの特性評価装置は、無線機器に複数搭載された各アンテナの全立体角における指向性の振幅及び位相を導出する指向性導出手段と、解析を行う電波伝搬環境において、幾何光学的手段を用いて、各受信点での全立体角の信号強度、振幅及び位相を導出する電波伝搬計算手段と、前記電波伝搬計算手段で計算された前記各受信点での所望波及び妨害波の到来強度、到来位相及び到来角から、アダプティブアルゴリズムを用いて、前記指向性導出手段で生成した前記各アンテナの指向性パターンが最大となるように前記振幅及び位相を制御して合成指向性を導出するアダプティブアルゴリズム手段と、アダプティブアルゴリズム手段で生成した前記各アンテナの最終的な振幅及び位相指向性により前記受信点での信号強度を合成し、最終的な受信点で得られる信号強度を所望波及び妨害波に分けて導出し、前記電波伝搬環境におけるアダプティブアレーアンテナの評価を行うアダプティブアレーアンテナ評価手段とを有するものである。
【００１７】
また、本発明のアダプティブアレーアンテナの特性評価装置は、前記指向性導出手段が、計算機シミュレーションまたは実測により、前記無線機器に複数搭載された前記各アンテナの複素指向性を導出する機能と、アンテナ近傍電磁界のみのデータを遠方解に変換する近傍界・遠方界変換機能と、離散間隔角度に生成した全立体角の振幅や位相指向性を前後の角度の値から補間する指向性補間機能とを有するものである。
【００１８】
また、本発明のアダプティブアレーアンテナの特性評価装置は、前記電波伝搬計算手段が、解析を行う電波伝搬環境を模擬するモデリング機能と、送信点及び受信点をそのモデル上に設定する送受信点設定機能と、前記送信点から受信点へ前記幾何光学的手法を用いた電波伝搬環境シミュレーションを行う電波伝搬計算機能と、前記受信点での到来波及び妨害波それぞれの到来方向及び強度を計算する幾何光学的解析機能とを有するものである。
【００１９】
また、本発明のアダプティブアレーアンテナの特性評価装置は、前記アダプティブアルゴリズム手段が、受信点での到来波及び妨害波の到来波情報を元に各場所における受信点での前記アンテナに前記アダプティブアルゴリズムを適応し、前記各場所それぞれでの最適な合成指向性を導出する指向性合成機能部を有し、前記指向性合成機能部は、前記アダプティブアルゴリズムの反復計算回数を指定する反復計算回数指定機能と、減衰器及び位相器の分解能及び範囲を指定する振幅・位相分解能範囲指定機能とを有するものである。
【００２０】
また、本発明のアダプティブアレーアンテナの特性評価装置は、前記アダプティブアレーアンテナ評価手段が、前記電波伝搬計算手段で生成された前記各受信点における前記所望波及び妨害波と各受信信号の振幅及び位相情報を、前記アダプティブアルゴリズム手段で生成した前記指向性で重み付けして受信し、前記受信信号レベルを所望波、妨害波に分けて導出し、前記電波伝搬環境におけるアダプティブアレーアンテナの評価を行う機能を有するものである。
【発明の効果】
【００２１】
本発明によれば、複数のアンテナを搭載した無線機器の使用時において、アンテナ近傍にある人体，手，無線機器の筐体等の影響、各アンテナ間の相互インダクタンス、カップリング等を考慮した各アンテナの指向性特性を、電磁界シミュレータまたは実測によるデータにより導出可能であり、これにより指向性合成する元データとなる各アンテナ単体の指向性を、より高精度に取得することが可能となるアダプティブアレーアンテナの特性評価装置を提供できる。
【００２２】
また、本発明によれば、解析を行う電波伝搬環境において、幾何光学的手法を用いた電波伝搬環境シミュレーションを実施し、得られた結果から各移動場所や受信場所における到来波，妨害波の到来波情報自動で取得可能であって、その情報を元に各移動場所や受信場所におけるアダプティブアルゴリズムを適応することで、各位置の最適な合成指向性を導出可能となるアダプティブアレーアンテナの特性評価装置を提供できる。
【００２３】
また、本発明によれば、導出した各移動場所や受信場所における合成指向性を電波伝搬シミュレーションの受信指向性として用いることが可能である。また、アダプティブアルゴリズムの処理負荷、受信点の移動速度を考慮し、繰り返し計算回数を設定すること、指向性生成に用いる減衰器や位相器の分解能や設定範囲を指定できることで、より実際の受信点場所変化による指向性変化、受信点移動速度や処理負荷を考慮し、各場所での合成指向性生成をした電波伝搬解析を行うことができ、電波伝搬空間におけるアダプティブアンテナの性能を計算機シミュレーションによって総合的に評価することが可能となるアダプティブアレーアンテナの特性評価装置を提供できる。
【発明を実施するための最良の形態】
【００２４】
以下、本発明の実施形態について、添付図面を参照しながら詳細に説明する。
本発明に係るアダプティブアレーアンテナ(Adaptive Array Antenna)の特性評価装置１は、図１に示すように、指向性導出手段２と、電波伝搬計算手段３と、アダプティブアルゴリズム手段４と、アダプティブアレーアンテナ評価手段５とを備える。
【００２５】
このうち、指向性導出手段２は、複数アンテナを搭載した無線機器における送受信点の合成指向性を導出するための元データとして、各アンテナの指向性を導出するものであり、例えばモーメント法、ＴＬＭ（Transmission-Line Modeling）法、空間回路網法、ＦＤＴＤ（Finite Difference Time Domain）法等に代表される電磁界シミュレーションにより、アンテナ近傍の物体による影響、各アンテナ間の相互結合を考慮した上での各アンテナの全立体角における指向性の振幅及び位相を導出する。また、この指向性導出手段２は、計算機シミュレーションにより取得した指向性を用いるだけではなく、電波暗室などにおいてネットワークアナライザ等による指向性計測装置により実測で取得した指向性の振幅や位相情報を用いることも可能となっている。
【００２６】
本実施形態の指向性導出手段２は、図２に示すように、前述した電磁界シミュレーションまたは実測により全立体角の振幅・位相指向性を生成する機能を有するものであり、指向性シミュレーション機能部２１と、指向性実測機能部２２と、近傍界・遠方界変換機能部２３と、指向性補間機能部２４と、指向性生成部２５とを備えている。
【００２７】
このうち、指向性シミュレーション機能部２１は、前述したように、モーメント法、ＴＬＭ(Transmission-Line Modeling)法、空間回路網法、ＦＤＴＤ(Finite Difference Time Domain)法等に代表される電磁界シミュレーションによる計算により、無線機器に搭載される全アンテナに対して、各アンテナの振幅や位相成分による全立体角における指向性を求める(図２の１、図３の５)。なお、指向性をシミュレーション又は実測により導出する場合、どちらにおいても、指向性を求めるアンテナ以外は給電点を終端した状態で計算機シミュレーションする。
【００２８】
指向性実測機能部２２は、電波暗室等の測定環境において、ネットワークアナライザ等により、各アンテナの振幅や位相成分による全立体角における指向性を実測により得るものである。
【００２９】
近傍界・遠方界変換機能部２３では、アンテナ近傍電磁界のみのデータを遠方解に変換する。解析周波数で指向性が十分遠方解とみなせるように，計算機シミュレーションのでは解析領域を遠方解とみなせる領域まで十分距離を離した状態で導出することも可能である。
【００３０】
指向性補間機能部２４は、ある離散角度間隔おきに生成した全立体角の振幅や位相指向性より、さらに細かい角度分解能おきの振幅や位相指向性を得たい場合、前後の角度の値から導出したい角度へ振幅や位相指向性を補間する指向性補間機能(図２の２４)を有する。これは前後の角度での振幅や位相指向性値の平均値を計算することで導出する。
【００３１】
電波伝搬計算手段３は、解析を行う電波伝搬環境において、前述のレイトレース法、レイラウンチング法等に代表される幾何光学的手法を用いて、送信点から、移動する無線機器（本実施形態では、携帯電話機）の各受信点での全立体角の信号強度を、送信点から受信点に光線が到達する信号の、壁、その他の障害物等による反射・回折による信号減衰や位相変化も考慮した振幅及び位相とを導出するものである。
なお、送信点は、単一または複数設定することが可能である。単一の場合、受信点での信号強度を計算し、所望波または妨害波のどちらかとして設定する。また、複数の場合、各光線を所望波と妨害波、又はすべて所望波、或いはすべて妨害波として設定し、受信点での信号強度を各入射波に分けて計算し、所望波、妨害波それぞれにおける到来強度、到来位相、到来角を計算し導出する。このとき、送信アンテナの指向性は任意に設定できる。一方、受信アンテナの指向性は、振幅及び位相に対して理想的な無指向性アンテナか、携帯電話機のアンテナウェイトの初期値より合成されるアンテナ指向性とする。
【００３２】
本実施形態の電波伝搬計算手段３は、図３に示すように、電波伝搬環境の空間をモデル化する機能を有するとともに、設定した送信点から送信される電波の受信点での信号強度を計算する機能を有するものであり、モデリング機能部３１と、送受信点設定機能部３２と、電波伝搬計算機能部３３と、幾何光学的解析機能部３４とを備えている。
【００３３】
このうち、モデリング機能部３１は、解析に用いる電波伝搬環境を入力し、モデル化する機能を有するものであり、壁等の障害物(例えば、図７では、壁７４，７５など)となる物体形状等、あらゆる座標や誘電率の値の入力を行う。このモデリング機能部３１により解析空間をモデル化したものが、同図に示す解析空間７である。
【００３４】
送受信点設定機能部３２は、送信点及びこの送信点での送信アンテナの指向性を設定するとともに、送信点が複数の場合はそれぞれに対して所望波か妨害波とを設定し，受信点に関しては電波伝搬環境上を移動する座標を指定する機能を有する。この送受信点設定機能部３２は、この機能により、図７の場合、所望波を発信する送信点を第１送信点７１、妨害波を発信する送信点を第２送信点７２として設定する。各送信点は、各アンテナの指向性で重み付け（weight）された強度、位相とする。また、受信点７３も設定する。受信アンテナの指向性は、振幅及び位相に対して理想的な無指向性アンテナか、携帯電話機のアンテナウェイトの初期値より合成されるアンテナ指向性とする。
【００３５】
電波伝搬計算機能部３３は、電波伝搬解析として、前述した、レイトレース法、レイラウンチング法等に代表される幾何光学的手法を用い、設定した電波伝搬環境において、送信点から受信点が移動する各位置での全立体角の信号強度を、送信点から受信点に光線が到達する信号の位相を考慮し合成することで、導出する。送信点を複数設定した場合は、各光線を所望波、妨害波に分けて受信点での信号強度を計算し、所望波、妨害波それぞれにおける到来角を計算する。
【００３６】
幾何光学的解析機能部３４は、最終的に受信点における各所望波及び妨害波別の信号強度、及び到来方向を導出する機能を有する。図７（Ｂ）、（Ｃ）には、それぞれ、この幾何光学的解析機能部３４により得られた受信点７３における所望波の指向性(振幅，位相)のパターンδと、妨害波の指向性(振幅，位相)のパターンγを示したものである。
【００３７】
アダプティブアルゴリズム手段４は、電波伝搬計算手段３で計算された各受信点での所望波、妨害波の到来強度、到来位相、到来角から、所定のアダプティブアルゴリズムを用いて指向性導出手段２で生成した各アンテナの指向性パターン、例えば所望波のＳＩＮＲ（Signal to Interference and Noise Ratio）が最大となるように振幅や位相を制御することで、合成指向性を導出するものである。検討するアダプティブアルゴリズムにより、例えば所望波到来角に合成した指向性のメインローブを向け、妨害波到来角に合成した指向性のヌルを向けるような合成指向性を適応したり、所望波信号レベルと妨害波信号レベルの差をなるべく最大となるよう各アンテナの利得量・位相量をフィードバックして、指向性合成を行う。また、この指向性合成を行うアダプティブアルゴリズム手段４は、常に所望波到来方向へヌルを生成するように、到来波信号に応じた指向性合成を行うことも可能とする。
【００３８】
また、アダプティブアルゴリズム手段４は、無線機器の受信点が歩行速度で変動する場合を想定することも可能である。さらに、このアダプティブアルゴリズム手段４は、使用するハードウェアの性能を見積もったり、搭載するアダプティブアルゴリズムの処理負荷を見積もるような場合、この見積もりに見合う、最適解を導出するために、反復計算する計算回数を指定することも可能とする。
【００３９】
また、このアダプティブアルゴリズム手段４は、実際の減衰器や位相器を想定し、減衰器や位相器の分解能、設定範囲を設定し、その条件でアダプティブアルゴリズムにより最適な合成指向性を導出する機能も有する。これにより、例えば減衰器や位相器の分解能無限、設定範囲なしの理想的な状態と、減衰器の分解能１ｄＢ，設定範囲０〜１０ｄＢ、位相器の分解能１５°、設定範囲０〜７２０°とした場合の合成指向性の変化等を検証することが可能である。
【００４０】
本実施形態のアダプティブアルゴリズム手段４は、電波伝搬計算手段３で計算された各受信点での所望波，妨害波の信号強度・到来角を利用し、指向性導出手段２で計算した各アンテナの指向性パターンを、アダプティブアルゴリズムを用いて振幅及び位相を変化させ合成するものであり、図４に示すように、反復計算回数指定機能部４１と、振幅・位相分解能範囲指定機能部４２と、指向性合成機能部４３とを備える。
【００４１】
このうち、反復計算回数指定機能部４１は、無線機器を持ちながら歩行することにより、歩行速度で受信点が移動する場合、受信点での移動速度を設定し、使用する無線機器のハードウェアの性能、搭載するアダプティブアルゴリズムの計算負荷を見積もり、この移動速度と見積もりに見合う、アダプティブアルゴリズムによる最適解を導出するために、反復計算する反復計算回数を指定する。これにより、例えば無線機器のユーザーが高速で移動した場合と低速で移動した場合に、無線機器に搭載されているアダプティブアルゴリズムは、高速移動時の指向性が十分最適化されていない状況や、低速移動時の指向性が十分最適化されている状況における、移動時間による、アルゴリズムの収束の差から派生する、指向性の差異が得られる。結果として、電波伝搬解析時における信号強度と各素子の分解能の関係を計算することも可能である。
【００４２】
振幅・位相分解能範囲指定機能部４２は、利得制御用の可変減衰器、位相制御用の位相器の分解能を設定する機能を有し、例えば減衰器は２ｄＢ間隔の制御で使用範囲は０〜７０ｄＢ、位相器は４５°間隔の制御で使用範囲は０〜７２０°等、と任意に設定することが可能である。従って、この各素子の分解能、設定範囲については、実際に無線機器に搭載する部品の定数を入力し、各素子の分解能から派生する各アンテナの指向性を合成すると、各受信点での指向性の各素子の分解能を任意に設定した場合の理想状態との差異が得られる。この結果として、電波伝搬解析時における信号強度と各素子の分解能との関係を計算することも可能である。
【００４３】
指向性合成機能部４３は、適用するアダプティブアルゴリズムにより、例えば所望波到来角に合成した指向性のメインローブを向け、妨害波到来角に合成した指向性のヌルを向けるような指向性合成を適応したり、所望波信号レベルと妨害波信号レベルの差をなるべく最大となるよう各アンテナの利得量や位相量をフィードバックするような指向性合成を行ったり、常に所望波到来方向にヌルを生成するように指向性合成を行うアダプティブアルゴリズム、到来波信号に応じた指向性合成を行う機能を有する。
【００４４】
アダプティブアレーアンテナ評価手段５は、アダプティブアルゴリズム手段４で生成したアンテナの合成指向性を再度電波伝搬計算手段３に入力し、各送受信点での指向性として用い、この最終的なアダプティブアルゴリズム手段４で生成した各アンテナの振幅指向性及び位相指向性で受信点での信号強度を合成し、最終的な受信点で得られる信号強度を所望波，妨害波に分けて導出し、例えば所望波のＳＩＮＲで電波伝搬環境におけるアダプティブアレーアンテナの評価を行う。
本実施形態のアダプティブアレーアンテナ評価手段５は、電波伝搬計算部３で生成された各受信点における所望波及び妨害波と、各受信信号の振幅及び位相情報を、アダプティブアルゴリズム部４で生成した無線機器に搭載された各アンテナの合成で得られた指向性で重み付け（weight）して受信し、受信信号レベルを導出するものであり、アダプティブアレーアンテナ評価機能部５１（図５参照）を備える。
【００４５】
アダプティブアレーアンテナ評価機能部５１は、最終的な受信点で得られる信号強度を所望波、妨害波に分けで導出し、電波伝搬環境におけるアダプティブアレーアンテナの評価を行う、アダプティブアレーアンテナ評価機能を有する。
【００４６】
次に、本実施形態に係るアダプティブアレーアンテナ(Adaptive Array Antenna)の電波伝搬性能などを解析するアダプティブアレーアンテナの特性評価装置１を用いたアダプティブアレーアンテナの特性評価方法について説明する。なお、本実施形態では、図６に示すように、第１、第２アンテナ６１、６２を搭載した携帯電話機（無線機器）６を用い、この近傍に人体（使用者）Ｍを配置したときのアダプティブアレーアンテナの特性評価（電波伝搬性能など）を解析する。
【００４７】
初めに、指向性導出手段２が、図６（Ａ）に示すように、第１アンテナ６１，第２アンテナ６２を搭載した携帯電話機６の近傍に人体Ｍを配置したときの指向性を、指向性シミュレーション機能部２１(図２参照)又は指向性実測機能部２２(同様に、図２参照)により導出する。具体的には、アンテナ１の振幅指向性パターンα１及び位相指向性パターンβ１と、アンテナ２の振幅指向性パターンα２及び位相指向性パターンβ２とを導出する。なお、図６（Ｂ）、（Ｃ）は、それぞれ、この指向性シミュレーション機能部２１又は指向性実測機能部２２によって得られた第１、第２アンテナの振幅指向性及び位相指向性のパターンを示す。
【００４８】
次に、電波伝搬計算手段３では、まず、図３において、モデリング機能部３１により、解析に用いる電波伝搬環境を入力し、モデル化する。ここでは、壁等の障害物となる物体形状等、あらゆる座標や誘電率の値の入力を行う。この電波伝搬計算手段３の機能により、解析空間をモデル化したものが、図７（Ａ）である。このモデリング機能部３１により、解析空間７上に、所望波を発信する第１送信点７１と、妨害波を発信する第２送信点７２とを設定する。各送信点７１、７２は、各アンテナの指向性で重み付けされた強度、位相とする。また、解析空間７上に、受信点７３を設置する。受信アンテナの指向性は、振幅・位相に対して理想的な無指向性アンテナか、携帯電話機のアンテナウェイトの初期値より合成されるアンテナ指向性とする。なお、同図（Ａ）中、符号７４、７５は壁等の障害物である。次に、送受信点設定機能部３２が、送信点と送信アンテナの指向性、送信点が複数の場合はそれぞれに対して所望波か妨害波を設定し、受信点に関しては電波伝搬環境上を移動する座標を指定する。
【００４９】
次に、電波伝搬計算機能部３３が、レイトレース法、レイラウンチング法等に代表される幾何光学的手法を用いて電波伝搬解析を行う。前述の設定（モデル化）した電波伝搬環境において、送信点７１、７２から移動する受信点７３の各位置での全立体角の信号強度を、送信点７１、７２から受信点７３に光線（コヒーレント光）が到達するときの信号の位相を考慮し合成することで、導出する。送信点を複数設定した場合は、各光線を所望波、妨害波に分けて受信点での信号強度を計算し、所望波、妨害波それぞれにおける到来角を計算する。
【００５０】
これにより、幾何光学的解析機能部３４が、最終的に、受信点における各所望波及び妨害波別の信号強度及び到来方向を導出する。なお、図７（Ｂ）、（Ｃ）は、それぞれ、幾何光学的解析機能部３４により得られた、受信点７３における所望波の指向性(振幅，位相)のパターンδ、妨害波の指向性(振幅，位相)のパターンγを示したものである。
【００５１】
次に、アダプティブアルゴリズム部手段４では、指向性導出手段２で得られた、図６に示す携帯電話機６に搭載された第１アンテナ６１，第２アンテナ６２の指向性について、各アンテナに搭載されている、減衰器６３Ａ、６３Ｂ及び位相器６４Ａ、６４Ｂ（いずれも、図８参照）を、図４における指向性合成機能部４３でのアダプティブアルゴリズムに従い、最終的な各場所での携帯電話機６の指向性、つまり合成指向性α３（図８参照）を生成する。即ち、振幅・位相分解能範囲指定機能部４２で設定した分解能で、かつ、反復計算回数指定機能部４１で設定した反復計算回数において可変し、最終的な各場所での携帯電話機６の指向性を生成する。
【００５２】
また、アダプティブアレーアンテナ評価手段５では、アダプティブアルゴリズム手段４で生成した最終的な各アンテナの振幅及び位相指向性で受信点での信号強度を合成し、最終的な受信点で得られる信号強度を所望波，妨害波に分けて導出する。また、所望波のＳＩＮＲ（Signal to Interference and Noise Ratio）で電波伝搬環境におけるアダプティブアレーアンテナの評価を行い、その評価結果を表示する。
例えば、その評価機能の一例として、図９（Ａ）に示す電波伝搬環境下で、受信点７３が破線矢印のように移動する状況の場合、それらの移動する各受信点７３において、アダプティブアルゴリズム手段４で生成した指向性に基づいて受信した信号強度を、同図（Ｂ）に示す。なお、この同図（Ｂ）において、所望波のレベルをδ１、妨害波のレベルをγ１で示す。
【００５３】
前述したように、アダプティブアレーアンテナ評価手段５では、所望波、妨害波に分けて信号強度を出力する機能を有するので、たとえば、図９（Ｃ）に示すように、このデータを元にＳＩＮＲを導出し、変調方式に応じたＢＥＲ（Bit Error Rate；ビット誤り率）の特性を評価することも可能である。なお、この同図（Ｃ）において、符号Ａ、Ｂは、第１アンテナ７１、第２アンテナ７２を単体で使用した場合のＢＥＲ特性であり、符号Ｃは、第１アンテナ７１、第２アンテナ７２をアダプティブ動作させ、指向性合成した場合でのＢＥＲ特性である。
【００５４】
従って、本実施形態によれば、アルゴリズムの検証を最終的にＢＥＲという定量に評価できるといった効果が得られる。
【００５５】
なお、本発明は上述した実施形態に何ら限定されるものではなく、その要旨を逸脱しない範囲において種々の形態で実施し得るものである。
【産業上の利用可能性】
【００５６】
本発明のアダプティブアレーアンテナの特性評価装置は、従来は個別に検討が行われていた、アダプティブアレーアンテナを搭載した無線機器のアンテナ構成、頭部・手などによるアンテナ近傍にある人体の影響の考慮、搭載するアダプティブアルゴリズムの計算負荷やハードウェアの計算能力を考慮した指向性生成評価、無線機器に搭載する減衰器、位相器の分解能を考慮した指向性生成評価、最終的な信号強度、所望波の信号強度向上及び妨害波の抑圧度、所望波と妨害波の信号強度差を、計算機シミュレータを用いることで、ありとあらゆる電波伝搬環境で計算機シミュレーションすることが可能であり、実際にアンテナ及び受信機等のハードウェアを用意し、電波伝搬環境でフィールドテストを行わなくとも、計算機シミュレーション上でアダプティブアレーアンテナを搭載した移動を前提とした無線機器の評価を可能とする効果を有し、より実際の運用を考慮した形態でのシミュレーションによる、アルゴリズムの検証、フィールドテストの削減等に有用である。
【図面の簡単な説明】
【００５７】
【図１】本発明の実施形態に係るアダプティブアレーアンテナ特性評価装置の構成を示すブロック図
【図２】そのアダプティブアレーアンテナ特性評価装置の指向性導出手段の構成を示すブロック図
【図３】そのアダプティブアレーアンテナ特性評価装置の電波伝搬計算手段の構成を示すブロック図
【図４】そのアダプティブアレーアンテナ特性評価装置のアダプティブアルゴリズム手段の構成を示すブロック図
【図５】そのアダプティブアレーアンテナ特性評価装置のアダプティブアレーアンテナ評価手段段の構成を示すブロック図
【図６】そのアダプティブアレーアンテナ特性評価装置の指向性導出手段の作用を示す説明図であり、（Ａ）は指向性シミュレーション機能部又は指向性実測機能部の作用を示す説明図、（Ｂ）は第１アンテナでの振幅指向性及び位相指向性を示すパターン、（Ｃ）は第２アンテナでの振幅指向性及び位相指向性を示すパターン
【図７】（Ａ）はそのアダプティブアレーアンテナ特性評価装置の電波伝搬計算手段により形成した、解析に用いるモデル化された電波伝搬環境を示す説明図、（Ｂ）は受信点における所望波の指向性パターンを示す説明図、（Ｃ）は受信点における妨害波の指向性パターンを示す説明図
【図８】（Ａ）はそのアダプティブアレーアンテナ特性評価装置のアダプティブアルゴリズム手段の作用を示す説明図
【図９】（Ａ）はそのアダプティブアレーアンテナ特性評価装置のアダプティブアレーアンテナ評価手段により、電波伝搬環境下で受信点が破線のように移動するときの状況を示す説明図、（Ｂ）は所望波及び妨害波の信号強度を示すグラフ、（Ｃ）は第１アンテナ、第２アンテナ、及びこれらのアンテナをアダプティブ動作させ、指向性合成した場合のＢＥＲ特性を示すグラフ
【符号の説明】
【００５８】
１  アレーアンテナ特性評価装置
２  指向性導出手段
２１  指向性シミュレーション機能部
２２  指向性実測機能部
２３  近傍界・遠方界変換機能部
２４  指向性補間機能部
２５  指向性生成部
３  電波伝搬計算手段
４  アダプティブアルゴリズム手段
５  アダプティブアレーアンテナ評価部手段
３１  モデリング機能部
３２  送受信点設定機能部
３３  電波伝搬計算機能部
３４  幾何光学的解析機能部
４１  反復計算回数指定機能部
４２  振幅・位相分解能範囲指定機能機能部
４３  指向性合成機能部
５１  アダプティブアレーアンテナ評価機能部
６  携帯電話機
６１  第１アンテナ
６２  第２アンテナ
６３Ａ、６３Ｂ  減衰器
６４Ａ、６４Ｂ  位相器
７  解析空間
７１  第１送信点
７２  第２送信点
７３  受信点
７４、７５  障害物
Ａ、Ｂ  ＢＥＲ特性（第１アンテナ７１、第２アンテナ７２を単体で使用した場合）
Ｃ  ＢＥＲ特性（指向性合成した場合）
Ｍ  人体
α１、α２  第１、第２アンテナの振幅指向性
α３  合成指向性
β１、β２  第１、第２アンテナの位相指向性
γ  受信点における妨害波の指向性(振幅，位相)
γ１  妨害波のレベル
δ  受信点における所望波の指向性(振幅，位相)
δ１  所望波のレベル
【図１】
2007078482.tif 000003
【図２】
2007078482.tif 000004
【図３】
2007078482.tif 000005
【図４】
2007078482.tif 000006
【図５】
2007078482.tif 000007
【図６】
2007078482.tif 000008
【図７】
2007078482.tif 000009
【図８】
2007078482.tif 000010
【図９】
2007078482.tif 000011